(57)【特許請求の範囲】
【請求項１】
文書の内容を示す文字列情報である出版物のテキスト情報を配付する出版物の発行元のサーバ装置と、前記サーバ装置より前記テキスト情報を受け、文書を表示する出版物の読者の端末装置とから成る電子出版物配付システムにおいて、
前記サーバ装置は、
前記テキスト情報と前記出版物の発行元を特定する発行元情報とを前記端末装置に出力する情報出力手段を備え、
前記端末装置は、
前記情報出力手段で出力された前記テキスト情報と前記発行元情報とを入力する情報入力手段と、
前記発行元情報と文字の形状を定義したフォント情報とを対応づけて記憶するフォント記憶手段と、
前記情報入力手段により入力された前記発行元情報に対応して前記フォント記憶手段より読み出されたフォント情報と、前記情報入力手段により入力された前記テキスト情報と、に基づいて、前記文書を表示する文書表示手段とを備えたことを特徴とする電子出版物配付システム。
【請求項２】
文書の内容を示す文字列情報である出版物のテキスト情報と、その文字列の一部に対して属性を指示する属性情報とを備えた付属情報付きテキスト情報を配付する出版物の発行元のサーバ装置と、前記サーバ装置より前記付属情報付きテキスト情報を受け、文書を表示する出版物の読者の端末装置とから成る電子出版物配付システムにおいて、
前記サーバ装置は、
前記付属情報付きテキスト情報と前記出版物の発行元を特定する発行元情報とを前記端末装置に出力する情報出力手段を備え、
前記端末装置は、
前記情報出力手段で出力された前記付属情報付きテキスト情報と前記発行元情報とを入力する情報入力手段と、
前記発行元情報と前記属性との組み合わせに対応づけて、文字の形状を定義したフォント情報を記憶するフォント記憶手段と、
前記情報入力手段により入力された前記発行元情報と前記情報入力手段により入力された前記付属情報付きテキスト情報の前記属性情報との組み合わせに対応して前記フォント記憶手段より読み出されたフォント情報と、前記情報入力手段により入力された前記付属情報付きテキスト情報の前記テキスト情報と、に基づいて、前記文書を表示する文書表示手段とを備えたことを特徴とする電子出版物配付システム。
【請求項３】
文書の内容を示す文字列情報である出版物のテキスト情報と前記出版物の発行元を特定する発行元情報とをサーバ装置から入力する情報入力手段と、
前記発行元情報と文字の形状を定義したフォント情報とを対応づけて記憶するフォント記憶手段と、
前記情報入力手段により入力された前記発行元情報に対応して前記フォント記憶手段より読み出されたフォント情報と、前記情報入力手段により入力された前記テキスト情報と、に基づいて、前記文書を表示する文書表示手段とを備えたことを特徴とする端末装置。
【請求項４】
文書の内容を示す文字列情報である出版物のテキスト情報とその文字列の一部に対して属性を指示する属性情報とを備えた付属情報付きテキスト情報と、前記出版物の発行元を特定する発行元情報と、をサーバ装置から入力する情報入力手段と、
前記発行元情報と前記属性との組み合わせに対応づけて、文字の形状を定義したフォント情報を記憶するフォント記憶手段と、
前記情報入力手段により入力された前記発行元情報と前記情報入力手段により入力された前記付属情報付きテキスト情報の前記属性情報との組み合わせに対応して前記フォント記憶手段より読み出されたフォント情報と、前記情報入力手段により入力された前記付属情報付きテキスト情報の前記テキスト情報と、に基づいて、前記文書を表示する文書表示手段とを備えたことを特徴とする端末装置。
【発明の詳細な説明】
【０００１】
【発明の属する技術分野】
本発明は、文書情報を記憶したサーバ装置と、サーバ装置より所望の文書情報を受け取り、表示する端末装置とから構成される電子出版物配付システムに関するものであり、特に、少ない情報量の文書情報を用いて、文書を適切な書体で表示することができる電子出版物配付システムに関するものである。
【０００２】
【従来の技術】
従来、電子出版物配付システムで扱われる文書情報は、主に、文字概念を表すコード（文字コード）の配列である文字列情報（以下、単に文字列と称する）で文書の内容を表すものであり、大別して、飾り付けの情報が一切無い、文書の内容のみを表すテキスト情報、テキスト情報にそれを構成する文字列の部分部分に対して文字サイズや、修飾、また、書体名等の細かな修飾情報が付された修飾付きテキスト情報、及び、テキスト情報に文書の一部の文字列に対して、「見出し」や「注釈」等の文書中の役割を示す付属情報を指示可能な付属情報付きテキスト情報があった。
【０００３】
尚、テキスト情報とは、一般には、単に文字列のみの情報を称するものであり、特定の文字列を用いて、上述した書体名指定や、見出し等のコマンドを付加したものもテキスト情報と称する場合がある。また、飾り付けの情報が一切無いような文書の内容のみを表す情報であっても、その文字列の情報に対して圧縮等の加工を施したものもあるが、一般的には、これを称してテキスト情報とは言わない場合もある。しかしながら、以下の記述において、テキスト情報は、飾り付けの情報が一切無い、文書の内容のみを表す情報であれば、データ形式は問わずテキスト情報と称する。一方、単に文字列の情報のみであっても、コマンド等の修飾情報や、付属情報を表す情報を含む場合は、テキスト情報とは称さないこととする。尚、修飾情報付きのテキスト情報は「修飾付きテキスト情報」と称し、付属情報付きのテキスト情報は「付属情報付きテキスト情報」と称し、修飾情報や付属情報を含まない「テキスト情報」とは区別する。
【０００４】
これらの文書情報が端末装置でどのように表示されていたかを、特に表示に使われる書体に注目して、以下に説明する。尚、この場合の書体は、形状のデザイン、大きさを含む広い意味で用いる。
【０００５】
文書情報としてテキスト情報を採用しているシステムは、文書情報提供者の意志とは無関係に、端末装置に備えられた、ある決められた一定の書体で表示される。この方式は、交換する文書情報の情報量が少ないため、単に内容のみを伝達できれば良い電子メール、業務連絡等の配付システムに適した方式である。
【０００６】
また、修飾付きテキスト情報を用いたシステムは、書体名等を細かに指定することで、文書情報提供者の意志を反映した見栄えのよい文書表示を実現することができる。この方式は、広告やファッション雑誌等のデザイン的な要素の高い文書に向いている。しかしながら、書体名、文字サイズ、その他の修飾情報等は、指定する項目が多く、細かく指定すればする程、文書情報の容量を大きくしてしまう。
【０００７】
更に、付属情報付きテキスト情報を用いた場合は、修飾付きテキスト情報程は自由度は無いが、新聞記事や小説等の定型のデザインの文書であれば、十分に表現可能で、なおかつ、付属情報も極単純な情報で良く、文書情報の容量も、テキスト情報から僅かに増加するのみである。しかしながら、表示で用いられる書体の選択は、端末装置に任されている。
【０００８】
【発明が解決しようとする課題】
印刷物として提供される出版物は、各出版社（発行元）毎に特徴のある書体を使用しており、これが、読者の「慣れ」に起因する読み易さ／読み難さにつながる場合がある。特に、定期的、かつ頻繁に購読しているようなもの、例えば、新聞等は顕著であり、読み慣れていない新聞社のものは、何となく読み難いものである。このことは、文書情報で配付され、端末装置で購読される電子出版物においても同様のことは言え、定期的に購読するのであれば、同じ発行元が発行している情報は、印刷物でも端末装置のディスプレイ上でも、また、どの端末装置でも、同じ書体で閲覧できることが望ましい。
【０００９】
一方、購読者の立場では、どの文書情報も普段読み慣れている一種類の書体で読めれば良いが、書体のデザインはそれぞれの発行元の意志表示であり、これを無視することは望ましくない。
【００１０】
従来の電子出版物配付システムの修飾付きテキスト情報を用いれば、この問題点は解決できるが、上述したように情報量が大きくなりがちである。装置間の情報交換を伴うシステムにおいて、交換する情報量の問題は、通信時間や情報交換の際に介する媒体の容量等に大きく影響するため、極力小さくすることが望ましい。
【００１１】
本発明は、上述した問題点を解決するためになされたものであり、小容量の情報で、かつ発行元に対応した書体で文書を表示することで読み易い表示が可能な電子出版物配付システムを提供することである。
【００１２】
【課題を解決するための手段】
この目的を達成するために、本発明の請求項１に記載の電子出版物配付システムは、文書の内容を示す文字列情報である出版物のテキスト情報を配付する出版物の発行元のサーバ装置と、前記サーバ装置より前記テキスト情報を受け、文書を表示する出版物の読者の端末装置とから成る電子出版物配付システムであって、前記サーバ装置は、前記テキスト情報と前記出版物の発行元を特定する発行元情報とを前記端末装置に出力する情報出力手段を備え、前記端末装置は、前記情報出力手段で出力された前記テキスト情報と前記発行元情報とを入力する情報入力手段と、前記発行元情報と文字の形状を定義したフォント情報とを対応づけて記憶するフォント記憶手段と、前記情報入力手段により入力された前記発行元情報に対応して前記フォント記憶手段より読み出されたフォント情報と、前記情報入力手段により入力された前記テキスト情報と、に基づいて、前記文書を表示する文書表示手段とを備えたことを特徴とする。
【００１３】
【００１４】
【００１５】
これによれば、出版物の発行元のサーバ装置から出版物の読者の端末装置へ出力する情報に具体的なフォント情報の指定が不要となるため、サーバ装置から端末装置へ出力する情報の小容量化ができ、かつ端末装置側で発行元に対応したフォント情報で表示が行われるため、印刷物でも、端末装置でも、また、他の端末装置でも同一発行元の情報は同一書体で表示でき、読み易い表示を実現できる。
【００１６】
また、請求項２に記載の電子出版物配付システムは、文書の内容を示す文字列情報である出版物のテキスト情報と、その文字列の一部に対して属性を指示する属性情報とを備えた付属情報付きテキスト情報を配付する出版物の発行元のサーバ装置と、前記サーバ装置より前記付属情報付きテキスト情報を受け、文書を表示する出版物の読者の端末装置とから成る電子出版物配付システムであって、前記サーバ装置は、前記付属情報付きテキスト情報と前記出版物の発行元を特定する発行元情報とを前記端末装置に出力する情報出力手段を備え、前記端末装置は、前記情報出力手段で出力された前記付属情報付きテキスト情報と前記発行元情報とを入力する情報入力手段と、前記発行元情報と前記属性との組み合わせに対応づけて、文字の形状を定義したフォント情報を記憶するフォント記憶手段と、前記情報入力手段により入力された前記発行元情報と前記情報入力手段により入力された前記付属情報付きテキスト情報の前記属性情報との組み合わせに対応して前記フォント記憶手段より読み出されたフォント情報と、前記情報入力手段により入力された前記付属情報付きテキスト情報の前記テキスト情報と、に基づいて、前記文書を表示する文書表示手段とを備えたことを特徴とする。
【００１７】
【００１８】
これによれば、出版物の発行元のサーバ装置から出版物の読者の端末装置へ出力する情報に付属情報付きテキスト情報を用いた場合でも、同様の効果を得るため、定型デザインのサーバ装置から端末装置へ出力する情報を、小容量をもって発行元に対応したフォント情報で表示が可能となる。
【００１９】
【発明の実施の形態】
以下に、本発明の電子出版配付システムを具体化した実施の形態について図面を参照して説明する。
【００２０】
本実施の形態は、本発明を電子新聞配付システムに好適に適用した例について示している。
【００２１】
本電子新聞配付システムは、図１に示すように、サーバ装置１と、ブラウザ装置２とから成るシステムである。そして、サーバ装置１は、複数の発行元の新聞記事の情報を蓄えており、要求を受けると、新聞記事の情報を出力する。また、ブラウザ装置２は、サーバ装置１より新聞記事の情報を受け、記事を表示するものである。以下に、サーバ装置１及びブラウザ装置２の構成について詳細に説明する。
【００２２】
サーバ装置１は、ＣＰＵ１０、プログラムメモリ１２、ワーキングメモリ１４、文書情報メモリ１６、パネル１８、ネットワークインターフェース１１０、及びフロッピーディスクドライブ１１２がバス１１４を介して接続されている。
【００２３】
ＣＰＵ１０は、サーバ装置１の全般の制御を司り、プログラムメモリ１２は、サーバ装置１の制御方式を定義したプログラムを記憶する。ワーキングメモリ１４は、ＣＰＵ１０による制御実行中の一時的なデータを記憶する。
【００２４】
また、文書情報メモリ１６は、配付目的の複数の文書情報を記憶しており、各文書情報は、その発行元の情報と対応づけて記憶している。
【００２５】
文書情報メモリ１６の記憶方式を図２に概念図を示し、以下に説明する。文書情報記憶メモリ１６には、インデックステーブル２００と文書情報群２１０とを記憶している。
【００２６】
そのインデックステーブル２００は、文書ＩＤ２０１、タイトル２０２、発行元情報２０３、及び文書情報アドレス２０４の情報から構成されており、記憶している文書情報全てに対してこの情報を持つ。文書ＩＤ２０１は、サーバ装置１における処理で文書情報を識別するための情報として用いるものである。タイトル２０２は、文書情報のタイトルを人間に識別可能な情報に復元可能な情報で記憶するものであり、新聞のタイトルロゴの画像情報等でも良いが、本システムではテキスト情報を用いる。発行元情報２０３は、新聞の発行元、即ち、新聞社を特定する情報であり、文書情報アドレス２０４は、新聞の文書情報を格納しているメモリ上のアドレスの情報である。
【００２７】
文書情報群２１０は、新聞の文書情報を格納している。文書情報の形式は、ＳＧＭＬ（Ｓｔａｎｄａｒｄ Ｇｅｎｅｒａｌｉｚｅｄ Ｍａｒｋｕｐ Ｌａｕｇｕａｇｅ）、ＨＴＭ
Ｌ（Ｈｙｐｅｒｔｅｘｔ Ｍａｒｋｕｐ Ｌａｎｇｕａｇｅ）、ＴｅＸ等の広く用いられている文書情報記述言語でも、特定システム依存の情報形式でもどのような形式でも良いが、本システムでは、説明を簡単にするために、見出しの文字列のみ指定可能な付属情報付きテキスト情報で文書情報を格納している。
【００２８】
この文書情報を図３（ａ）を用いて説明する。文書は、文字コードの配列で表され、見出しの文字列をその開始コマンドである文字列「＜Ｔ＞」３１と終了コマンドである文字列「＜ｔ＞」３２で挟むことで指示している。また、図３（ｂ）は、効果を明らかにするための従来技術を用いた場合の説明図であるが、詳細は後述する。
【００２９】
上述した文書情報メモリ１６は、ファイルシステムを持つ装置上に構築することもできる。その場合、文書情報群２１０の各文書情報は一つ或いは複数のファイルで記憶し、インデックステーブル２００の文書情報アドレス情報２０４をファイル名で記憶すれば良い。
【００３０】
パネル１８は、オペレータからの新聞の文書情報の要求を受ける操作パネルを備え、情報が要求されていることを、要求されている情報の種別とともに入力するものである。本実施の形態の操作パネルを図４に示し、その詳細を以下に説明する。操作パネルは、タイトル４１と、各タイトル４１に対応したボタン４２とから構成される。タイトル４１は、サーバ装置１に記憶している新聞の文書情報の種類を、文書情報メモリ１６内のタイトル２０２に登録されている情報に基づいてタイトルを表示するものである。また、ボタン４２は、押下されると、対応する新聞の文書情報が要求された旨を伝える情報を入力するものである。
【００３１】
ネットワークインターフェイス１１０は、ネットワークに接続されている他の装置との情報交換を行うものである。尚、このネットワークは広い意味を持っており、装置同士が一対一に接続されてる形式も含む。これは、外部より新聞の文書情報を入力したり、外部の端末を用いての保守のための情報の出入り口等にも用いることができるが、本実施の形態においては、主にブラウザ装置２との情報交換の目的で用いる。
【００３２】
フロッピーディスクドライブ１１２は、フロッピーディスク３の情報を読み書きするものであり、プログラムのロード、新聞情報の入力、情報のバックアップ等にも用いることができるが、本実施の形態においては、これも主にブラウザ装置２との情報交換の目的で用いる。
【００３３】
また、ブラウザ装置２は、図１に示されるように、ＣＰＵ２０、プログラムメモリ２２、ワーキングメモリ２４、フォントメモリ２６、表示部２８、ネットワークインターフェース２１０、及び、フロッピーディスクドライブ２１２がバス２１４を介して接続されている。
【００３４】
ＣＰＵ２０は、ブラウザ装置２の全般の制御を司り、プログラムメモリ２２は、ブラウザ装置２の制御方式を定義したプログラムを記憶する。ワーキングメモリ２４は、ＣＰＵ２０による制御実行中の一時的なデータを記憶する。
【００３５】
フォントメモリ２６は、文字の形状を定義したフォント情報を、明朝体や、ゴシック体等の互いにデザインの異なるものを複数、即ち、複数の書体のフォント情報を記憶しており、それらの書体はフォント名で識別可能なように記憶している。更に、文書情報の発行元情報と、その発行元の新聞の文書情報の本文用、見出し用のフォント名、施す修飾、及びサイズを対応づけたフォントテーブルも記憶している。
【００３６】
図５にそのフォントテーブルの概念図を示し、その詳細を以下に説明する。フォントテーブルは、発行元情報５１と属性５２とを、フォント名５３、修飾５４、及びサイズ５５の情報に対応づけるテーブル情報であり、ブラウザ装置２で処理可能な発行元全てについて、この情報が存在する。発行元情報５１は、サーバ装置１の文書情報メモリ１６に記憶している発行元情報２０３に対応しており、属性５２は本文／見出しの種別を表している。また、フォント名５３は、対応する発行元情報５１の属性５２に対応する文字を表示するために用いるフォント情報を示すフォント名を示し、修飾５４は、文字形状に施す修飾処理の種別（太線化／斜体化）を示している。更に、サイズ５５は、その際の出力サイズを示している。
【００３７】
このフォントメモリ２６内のフォント情報、及びフォントテーブルは、しかるべきインターフェイスを備え外部より供給、変更、或いは削除等の操作が可能なようにもできるが、本実施の形態では、説明の都合上、予め記憶してあるものをそのままの形で用いる方式とする。
【００３８】
表示部２８は、新聞の文書情報を表示するものである。その装置は、ＣＲＴディスプレイでも、液晶ディスプレイでも良く、また、ディスプレイではなくプリンタ装置でも良い。
【００３９】
ネットワークインターフェイス２１０は、ネットワークに接続されている他の装置との情報交換を行うものである。これは、先に述べたようにフォント情報の入力、フォントテーブルの変更情報の入力や、外部の端末を用いての保守のための情報の出入り口等にも用いることができるが、本システムにおいては、主にサーバ装置１との情報交換の目的で用いる。
【００４０】
フロッピーディスクドライブ２１２は、フロッピーディスク３の情報を読み書きするものであり、これもフォント情報の入力、フォントテーブルの変更情報の入力や、情報のバックアップ等にも用いることができるが、本システムにおいては、これも主にサーバ装置１との情報交換の目的で用いる。
【００４１】
以下に、本電子新聞配付システムの動作について、図６のフローチャートを用いて詳細に説明する。
【００４２】
オペレータが、サーバ装置１のフロッピーディスクドライブ１１２にフロッピーディスク３（ＦＤ）を挿入し、パネル１８に備えられた操作パネルのボタン４２のいずれかを押下すると（Ｓ６１；Ｓはステップを表す。以下同様）、サーバ装置１は押下されたボタンに対応する文書情報を表す文書ＩＤと共に要求があった旨を伝える入力を受ける（Ｓ６２）。更に、サーバ装置１は、要求された文書ＩＤに対応する文書情報と発行元情報とを、文書情報メモリ１６のインデックステーブル２００を参照して読み出し、フロッピーディスクドライブ１１２を介してフロッピーディスク３に書き込む（Ｓ６３）。
【００４３】
次に、オペレータは、フロッピーディスク３をサーバ装置１のフロッピーディスクドライブ１１２より抜き出し、ブラウザ装置２のフロッピーディスクドライブ２１２に挿入する（Ｓ６４）。
【００４４】
ブラウザ装置２は、フロッピーディスクドライブ２１２を介してフロッピーディスク３の文書情報と発行元情報を読み出し（Ｓ６５）、文書情報を適切なフォント情報を用いて表示部２８に表示する（Ｓ６６）。尚、この表示処理についての詳細は後述する。
【００４５】
本実施の形態では、サーバ装置１とブラウザ装置２との間の情報交換を、着脱可能な記憶媒体であるフロッピーディスクを介した例で示したが、この記憶媒体は、これに限定されるものではなく、ＳＲＡＭ（Ｓｔａｔｉｃ ＲａｎｄｏｍＡｃｃｅｓｓ Ｍｅｍｏｒｙ）カードや、光磁気ディスク等を利用したシステムにも変更可能である。
【００４６】
また、このような記憶媒体を介さずに、通信による情報交換でも同様のことが実現できる。この場合の動作を図７のフローチャートに基づいて以下に詳細に説明する。尚、この動作の前提として、サーバ装置１とブラウザ装置２とがネットワークインターフェイス１１２及び２１２を介して通信可能な状態にあるものとする。
【００４７】
先ず、オペレータがブラウザ装置２の操作により、所望の文書情報を要求する指令を与えると（Ｓ７１）、ブラウザ装置２は、ネットワークインターフェイス２１２よりサーバ装置１に対して、要求コマンドと文書ＩＤからなる要求情報を送信する。
【００４８】
サーバ装置１は、ネットワークインターフェイス１１２を介して、要求情報を受け（Ｓ７３）、要求された文書ＩＤに対応する文書情報と発行元情報を、文書情報メモリ１６のインデックステーブル２００を参照して読み出し、ネットワークインターフェイス１１２を介してブラウザ装置２に送信する（Ｓ７４）。
【００４９】
ブラウザ装置２は、その文書情報及び発行元情報をネットワークインターフェイス２１２を介して受信し（Ｓ７５）、文書情報を適切なフォント情報を用いて表示部２８に表示する（Ｓ７６）。尚、この表示処理の詳細は後述する。
【００５０】
この方式は、通信を介してサーバ装置１を操作できるため、遠隔地よりサーバ装置１から情報を得る際に有効である。また、通信を用いる方式は、情報交換の際に仲介する記憶媒体が必要ないため操作上の煩わしさも軽減できる。よって、図６のフローチャートで示したようにサーバ装置１のパネル１８を操作して要求情報を入力する方式であっても、文書情報と発行元情報をブラウザ装置２に送信する方式が図７のフローチャートで示した通信による方式をとることは有効であり、また、可能である。
【００５１】
次に、上述したＳ６６及びＳ７６の文書情報表示処理について、図８のフローチャートを用いて説明する。
【００５２】
先ず、文書情報の文書から一単位の文字列を読み出す（Ｓ８１）。この一単位は、「＜」から「＞」まで（この場合、「＜」と「＞」の文字も含む）、或いは、「＞」から「＜」まで（この場合、「＞」と「＜」の文字は含まない）としている。即ち、文書情報中のコマンドとその他の部分を区別して処理できるように読み出している。
【００５３】
次に、読み出した文字列が見出しの開始コマンド、即ち、文字列が「＜Ｔ＞」であれば（Ｓ８２：Ｙｅｓ）、ワーキングメモリ２４内の図示しないモードフラグの見出しモードを「ＯＮ」とし（Ｓ８３）、Ｓ８１の処理に戻る。
【００５４】
また、文字列が見出しの終了コマンド、即ち、文字列が「＜ｔ＞」であれば（Ｓ８４：Ｙｅｓ）、ワーキングメモリ２４内のモードフラグの見出しモードを「ＯＦＦ」とし（Ｓ８５）、Ｓ８１の処理に戻る。
【００５５】
文字列が見出しの開始コマンドでも終了コマンドでもない（Ｓ８２：Ｎｏ、Ｓ８４：Ｎｏ）であれば、コマンドではなく、表示する文字列である。そこで、現在のワーキングメモリ２４内のモードフラグの見出しモードがＯＮであれば（Ｓ８６：Ｙｅｓ）、表示用のフォント情報として、フォントメモリ２６のフォントテーブルを参照し、その文書情報の発行元情報に対応した見出し用のフォント名、修飾の種別、文字サイズの情報を読み出し、表示用のフォントとして指定する（Ｓ８７）。一方、モードフラグの見出しモードがＯＦＦであれば（Ｓ８６：Ｎｏ）、同じく、その文書情報の発行元情報に対応した本文用のフォント名、修飾の種別、文字サイズの情報を読み出し、表示用のフォントとして指定する（Ｓ８８）。そして、指定されたフォントで一単位の文字列を表示する（Ｓ８９）。
【００５６】
最後に、文書情報全ての表示処理が終了していれば（Ｓ８１０：Ｙｅｓ）、処理を終了し、処理していない情報が残っていれば（Ｓ８１０：Ｎｏ）、Ｓ８１に戻り処理を繰り返す。
【００５７】
尚、本電子新聞配付システムでは、文書情報に「見出し」と「本文」という付属情報付きのテキスト情報を用いたため、ブラウザ装置２のフォントメモリ２６内のフォントテーブルは、フォントの情報（フォント名、修飾、サイズ）と発行元情報及び見出し／本文の種別との対応テーブルの形式を採った（請求項２に対応）が、文書情報にこのような種別を付けない、単なるテキスト情報を用いた場合は、フォントの情報と発行元情報との対応テーブルの形式（請求項１に対応）で良い。
【００５８】
尚、本電子新聞配付システムのサーバ装置１が本発明のサーバ装置に対応し、ブラウザ装置２が本発明の端末装置に対応している。そして、Ｓ６２及びＳ７３の処理が本発明の要求入力手段として機能し、Ｓ６３及びＳ７４の処理が本発明の情報出力手段として機能する。更に、ブラウザ装置２のＳ６５及びＳ７５の処理が本発明の情報入力手段として機能し、フォントメモリ２６が本発明のフォント記憶手段を構成し、Ｓ６６及びＳ７６の処理が本発明の文書表示手段として機能する。
【００５９】
本実施の形態によれば、例えば、「??タイムス」の文書情報は、図３（ａ）の文書情報本文に加え、「発行元情報＝Ｄ社」という情報を授受するのみで、その発行元の指定する書体でブラウザ装置２に表示することができる。従来の技術で同様の効果を得るには、図３（ｂ）に示すような文書情報が必要であった。これは、従来技術で説明した、修飾付きテキスト情報に対応している。即ち、文字を表示するには文字列情報の他に、フォントの種類、フォントの現データに施す修飾の種類、文字サイズの情報が必要であるので、フォント名指定コマンド３３、修飾の種類の指定コマンド３４、文字サイズ指定コマンド３５をタイトル、本文の前にそれぞれ付し、かつ、それぞれの終了コマンド３６、３７及び３８を、やはり、タイトルと本文の後ろに付す必要があった。本実施の形態の方式によれば、明らかに、情報量は小さくなり、記憶装置の負担軽減、通信時間の短縮を実現している。
【００６０】
その他、本発明の要旨を逸脱しない範囲で様々な変更が可能である。
【００６１】
【発明の効果】
以上説明したことから明かなように、本発明の請求項１に記載の電子出版物配付システムによれば、出版物の発行元のサーバ装置から出版物の読者の端末装置へ出力する情報に具体的なフォント情報指定が不要となるため、出版物の発行元のサーバ装置から出版物の読者の端末装置へ出力する情報を小容量化でき、かつ、出版物の読者の端末装置側で発行元に対応したフォント情報で表示が行われるため、印刷物でも、端末装置でも、また、他の端末装置でも同一発行元の情報は同一書体で表示できるため、読み易い表示を実現できる。
【００６２】
また、請求項２の発明によれば、出版物の発行元のサーバ装置から出版物の読者の端末装置へ出力する情報に付属情報付きテキスト情報を用いた場合でも、同様の効果を得るため、定型デザインの出版物の発行元のサーバ装置から出版物の読者の端末装置へ出力する情報を、小容量でもって発行元に対応したフォント情報で表示が可能となる。
【図面の簡単な説明】
【図１】  本実施の形態の電子新聞配付システムのブロック図である。
【図２】  本実施の形態の文書情報メモリの概念図である。
【図３】  文書情報の例を示す図である。
【図４】  本実施の形態のパネルを示す図である。
【図５】  本実施の形態のフォントメモリ２６内のフォントテーブルを示す図である。
【図６】  本実施の形態の文書情報送受表示処理のフローチャートである。
【図７】  本実施の形態の文書情報送受表示処理のフローチャートである。
【図８】  本実施の形態の文書情報表示処理のフローチャートである。
【符号の説明】
１  サーバ装置
２  ブラウザ装置
１６  文書情報メモリ
２６  フォントメモリ
【図１】
0004151085.tif 000002
【図２】
0004151085.tif 000003
【図３】
0004151085.tif 000004
【図４】
0004151085.tif 000005
【図５】
0004151085.tif 000006
【図６】
0004151085.tif 000007
【図７】
0004151085.tif 000008
【図８】
0004151085.tif 000009